(57)【要約】【課題】トラッキングコイルの巻線を、可動部の平面視両側外方に出っ張らないかまたは出っ張る寸法が小さくなるように、巻線スペースで効率よく巻回することができる光ピックアップを提供する。【解決手段】光ピックアップ１は、可動部３，支持台５およびヨーク部６を備え、可動部３には、トラッキングコイル８の巻線を巻回するための巻線スペースＳを、可動部３の平面視両側外方側（矢印Ｈ２側）が次第に広くなるように形成している。【選択図】　　図１
2004118969.tif 000002
【特許請求の範囲】
【請求項１】
光ディスクの記録面上に光を集光させるための対物レンズが設けられ、前記光ディスクに対する前記対物レンズの位置などの状態をフォーカスコイルおよびトラッキングコイルで微調整可能な可動部と、
この可動部を支持ワイヤを介して移動可能に支持する支持台と、
この支持台が取付けられ、前記フォーカスコイルおよび前記トラッキングコイルとの間でそれぞれ磁気回路を構成するヨークと永久磁石が取付けられたヨーク部とを備えた光ピックアップであって、
前記可動部には、前記トラッキングコイルの巻線を巻回するための巻線スペースを、前記可動部の平面視両側外方側が次第に広くなるように形成したことを特徴とする光ピックアップ。
【請求項２】
前記可動部を構成する本体部の平面視で四つの角部は、前記巻線スペースを形成するために斜めのほぼ平面状，ほぼ曲面状またはほぼ階段状に形成されていることを特徴とする請求項１に記載の光ピックアップ。
【請求項３】
前記トラッキングコイルは、前記可動部の前記本体部の側面から外方に突出して形成されたトラッキングコイル用鍔を有するボビンに巻回され、
前記トラッキングコイルの縦巻線部と横巻線部は、前記ボビンにそれぞれ案内保持されていることを特徴とする請求項２に記載の光ピックアップ。
【発明の詳細な説明】
【０００１】
【発明の属する技術分野】
本発明は、光ディスクの記録面上に対物レンズで光を集光させて情報の記録，再生などを行う光ピックアップに関する。
【０００２】
【従来の技術】
光ピックアップは、光ディスク再生装置および光ディスク記録再生装置など光ディスク装置に使用される。光ピックアップは、記録媒体である光ディスクの記録面上に光たとえばレーザー光を集光させて、情報の記録，再生などを行うための装置である。
【０００３】
図７ないし図９は本発明の関連技術を示す図で、図７は光ピックアップの平面図、図８は前記光ピックアップの可動部の斜視図である。
図７および図８に示すように、光ピックアップ１０１は可動部１０３を有しており、可動部１０３は、複数の支持ワイヤ１０４を介して支持台１０５に支持されて移動可能になっている。
可動部１０３は、レーザ光を集光させるための対物レンズ１０２と、光ディスクに対する対物レンズ１０２の位置などの状態を微調整するためのフォーカスコイル１０７およびトラッキングコイル１０８とを有している。フォーカスコイル１０７とトラッキングコイル１０８には、支持ワイヤ１０４を介して電流が供給される。
【０００４】
フォーカスコイル１０７とトラッキングコイル１０８に電流を供給すれば、フォーカスコイル１０７とトラッキングコイル１０８によりそれぞれ生じる電磁力により、可動部１０３が基本位置からシフトして、対物レンズ１０２の位置や姿勢などの状態を微調整する。
トラッキングコイル１０８による可動部１０３の動作の感度（応答速度）を向上させるためには、トラッキングコイル１０８の巻数（ターン数）を増やしたり、永久磁石１１０とヨーク１１２との間の距離（ギャップＧ）を小さくするのが有効である。
【０００５】
図９は、光ピックアップ１０１においてトラッキングコイル１０８の巻数を増やした場合を示す図で、図９（Ａ），（Ｂ）は、それぞれ部分平面図，その平面断面図である。
図９（Ａ），（Ｂ）に示すように、トラッキングコイル１０８は、可動部１０３の側面１１３から突出形成されたトラッキングコイル用鍔１１４に巻回されている。
トラッキングコイル用鍔１１４は側面１１３と平行なので、巻線スペースＳは、可動部１０３の内方側（矢印Ｈ１側）の巻幅ｄ１と、可動部１０３の平面視両側外方側（矢印Ｈ２側）の巻幅ｄ２とが同じ寸法になっている。
したがって、巻線スペースＳに巻回する巻線の巻数を増やすと、トラッキングコイル１０８は、可動部１０３の内方側（矢印Ｈ１側）と外方側（矢印Ｈ２側）の両方に出っ張ることになる。
トラッキングコイル１０８が内方側（矢印Ｈ１側）に出っ張っても、この内方側には通常、スペースの余裕があるのでほとんど問題は起きない。しかし、トラッキングコイル１０８が、外方側（矢印Ｈ２側）に出っ張ると支持ワイヤ１０４などに接触する恐れがある。そのため、トラッキングコイル１０８の巻数をそれほど増やすことができなかった。
【０００６】
また、たとえば特許文献１に記載された従来の光学ピックアップ用２軸アクチュエータでは、ボビンの両端に形成されている上下の枠のトラッキングコイルを設ける部位が、端部に向かってテーパ状に削除された傾斜部を有するようにしている。
【０００７】
【特許文献１】
特開平９−１６９９０号公報（第１頁，第３図）
【０００８】
【発明が解決しようとする課題】
前記特許文献１に記載の２軸アクチュエータでは、ボビンの上下の枠に形成された傾斜部は、開口部に向かって形成されている。このため、フックと傾斜部との間に巻回されるトラッキングコイルの巻線の巻数を増やしたり、巻線の径を太くしたりすると、トラッキングコイルがボビンの上下方向に出っ張るのを防止することはできるが、平面視両側外方に出っ張るのを防止することはできない。
このように、トラッキングコイルが平面視両側外方に出っ張ると、巻乱れが生じて巻線作業に支障が出たり、ボビン本体から出っ張ったトラッキングコイルが支持ワイヤなどに接触する恐れがある。さらに、この２軸アクチュエータのボビンでは、上下の枠の傾斜部の肉厚が全体的に薄くなるので、ボビンの機械的強度が低下する可能性があった。
【０００９】
本発明は、このような課題を解決するためになされたもので、トラッキングコイルの巻線を、可動部の平面視両側外方に出っ張らないかまたは出っ張る寸法が小さくなるように、巻線スペースで効率よく巻回することができる光ピックアップを提供することを目的とする。
【００１０】
【課題を解決するための手段】
上述の目的を達成するため、本発明にかかる光ピックアップは、光ディスクの記録面上に光を集光させるための対物レンズが設けられ、前記光ディスクに対する前記対物レンズの位置などの状態をフォーカスコイルおよびトラッキングコイルで微調整可能な可動部と、この可動部を支持ワイヤを介して移動可能に支持する支持台と、この支持台が取付けられ、前記フォーカスコイルおよび前記トラッキングコイルとの間でそれぞれ磁気回路を構成するヨークと永久磁石が取付けられたヨーク部とを備えた光ピックアップであって、前記可動部には、前記トラッキングコイルの巻線を巻回するための巻線スペースを、前記可動部の平面視両側外方側が次第に広くなるように形成している。
前記可動部を構成する本体部の平面視で四つの角部は、前記巻線スペースを形成するために斜めのほぼ平面状，ほぼ曲面状またはほぼ階段状に形成されているのが好ましい。
好ましい実施態様として、前記トラッキングコイルは、前記可動部の前記本体部の側面から外方に突出して形成されたトラッキングコイル用鍔を有するボビンに巻回され、前記トラッキングコイルの縦巻線部と横巻線部は、前記ボビンにそれぞれ案内保持されている。
【００１１】
【発明の実施の形態】
以下、本発明にかかる実施の形態の一例を、図１ないし図６を参照して説明する。
図１は光ピックアップの平面図、図２は、前記光ピックアップの可動部の斜視図、図３は、前記光ピックアップの動作を示す図で、図１のＩＩＩ−ＩＩＩ線概略矢視図、図４（Ａ），（Ｂ）は、それぞれ、前記可動部に設けられたトラッキングコイルを示す部分平面図，その平面断面図である。
図１ないし図４において、光ディスク装置（図示せず）に使用される光ピックアップ１は、移動機構（図示せず）により、記録媒体である光ディスクの半径方向に制御されつつ移動可能になっている。
光ディスク装置において、光ディスクが駆動モータにより回転駆動されている状態で、移動機構で所望の位置に光ピックアップ１を移動させる。そして、光ピックアップ１は、光ディスクの記録面上に対物レンズ２で光（たとえば、レーザー光）を集光させて、光ディスクに対して情報の記録，再生などを行う。
光ディスクとしては、ＣＤ，ＣＤ−ＲＯＭ，ＣＤ−Ｒ，ＣＤ−ＲＷ，ＭＤ，ＭＯ，ＤＶＤ−ＲＯＭ，ＤＶＤ−ＲＡＭ，ＤＶＤ−Ｒ，ＤＶＤ−ＲＷなどがある。
【００１２】
光ピックアップ１は、可動部３，支持台５およびヨーク部（継鉄部）６などを有している。
可動部３には、光ディスクの記録面上に光を集光させるための対物レンズ２が設けられている。可動部３は、光ディスクに対する対物レンズ２の位置や姿勢などの状態を、フォーカスコイル７およびトラッキングコイル８に電流を流すことにより微調整可能になっている。
なお、説明の便宜上、対物レンズ２の光軸Ｂと平行な方向すなわちフォーカス方向をＸ方向とし、特に、光ディスク側，反光ディスク側をそれぞれ上方向，下方向とする。
このＸ方向と直交する方向（光ディスクの半径方向）すなわちトラッキング方向をＺ方向とし、Ｘ方向およびＺ方向と直交する方向をＹ方向とする。特に、図１の左右方向を光ピックアップ１の左右方向（Ｚ方向）とする。
本実施形態（各種変形例も同様）では、対物レンズ２が可動部３のほぼ中央部に配置された「レンズセンタータイプ」の光ピックアップの場合を示している。なお、本発明は、対物レンズ２が可動部の外側に配置された「レンズオフセットタイプ」の光ピックアップにも適用可能である。
【００１３】
磁性体からなるヨーク部６には、支持台５が取付けられている。支持台５は、複数（ここでは、四本）の支持ワイヤ４を支持しており、この四本の支持ワイヤ４を介して可動部３を移動可能に支持している。
ヨーク部６の所定位置には、永久磁石９とヨーク１０が取付けられている。永久磁石９とヨーク１０は、フォーカスコイル７との間で磁気回路を構成し、また、トラッキングコイル８との間で磁気回路を構成する。
可動部３に設けられたフォーカスコイル７は、可動部３をフォーカス方向（対物レンズ２の光軸Ｂと平行な方向（Ｘ方向））に移動させ、トラッキングコイル８は、可動部３をトラッキング方向（光ディスクの半径方向（Ｚ方向））に移動させることができる。フォーカスコイル７とトラッキングコイル８には、支持ワイヤ４を介して電流が供給される。
可動部３は、平面視でほぼ矩形状の本体部２０を有しており、本体部２０は、絶縁性を有する樹脂材料などにより一体的に形成されている。対物レンズ２，フォーカスコイル７およびトラッキングコイル８などは、本体部２０の所定位置に設けられている。
本体部２０に支持された対物レンズ２は、光ディスクの記録面上にレーザー光などの光を集光させる。一つのフォーカスコイル７は、その巻軸が対物レンズ２の光軸Ｂと平行（Ｘ方向と平行）になるように、本体部２０の外周面全周に巻回されている。
【００１４】
本体部２０の一方の側面２２ａには、二組のトラッキングコイル用鍔２１が外方に若干突出して形成され、トラッキングコイル用鍔２１と側面２２ａとによりボビン２３が構成されている。
本体部２０の一方の側面２２ａから１８０度反対方向の他方の側面２２ｂにも、二組のトラッキングコイル用鍔２１が外方に若干突出して形成され、トラッキングコイル用鍔２１と側面２２ｂとによりボビン２３が構成されている。
一組のトラッキングコイル用鍔２１は、上下に分離した上部鍔と下部鍔とにより構成され、トラッキングコイル８が上部鍔と下部鍔に掛け渡されて巻回されている。
各トラッキングコイル８は、それぞれの巻軸の方向が光軸Ｂ（Ｘ方向，上下方向）と直交するＹ方向と平行になるように（すなわち、フォーカスコイル７の巻線方向に対して直角になるように）、ボビン２３に巻回されている。
本体部２０の一方の側面２２ａには、二つのトラッキングコイル８がＺ方向に並んで配置され、他方の側面２２ｂにも、二つのトラッキングコイル８がＺ方向に並んで配置されている。
トラッキングコイル８は、縦方向（Ｘ方向）を向く二つの縦巻線部８ａ１，　８ａ２と、横方向（Ｚ方向，左右方向）を向く上下の横巻線部８ｂとを有している。一方の縦巻線部８ａ１は、可動部３の平面視両側内方側（矢印Ｈ１側）に位置し、他方の縦巻線部８ａ２は、可動部３の平面視両側外方側（矢印Ｈ２側）に位置している。
【００１５】
ヨーク部６は、光ディスク装置のケースまたはベース部材（図示せず）などの固定側に固定され、所定形状に形成されている。ヨーク部６は、平面視でほぼ矩形の板状に形成され光ディスク装置の固定側に取付けられた基台２５と、基台２５にほぼ直角に固定され且つフォーカスコイル７より内方側に配置された複数（ここでは、二つ）のヨーク１０と、基台２５にほぼ直角に固定され且つ可動部３の外側に配置された二つの磁石支持用ヨーク２６とを有している。
ヨーク１０と磁石支持用ヨーク２６は、ほぼ矩形状を有し基台２５に突出して設けられ、互いに平行に且つ所定の位置に配置されている。二つのヨーク１０は、フォーカスコイル７の内側に位置し且つ本体部２０に貫通形成された二つの中空部２８を挿通して配設されている。
一対の永久磁石９は、ヨーク部６に取付けられ、一個のフォーカスコイル７および合計四個のトラッキングコイル８に対応して所定位置に配置されている。二つの永久磁石９は、それぞれ二つの磁石支持用ヨーク２６に（または、直接基台２５に）接着剤などにより固着されている。永久磁石９は、二つ並んだトラッキングコイル８に対向して配置されている。一方のヨーク１０は、一方の永久磁石９に対向して配置され、他方のヨーク１０は、他方の永久磁石９に対向して配置されている。
【００１６】
フォーカスコイル７と、その内方に配置された一方のヨーク１０と、ヨーク１０の近傍で且つフォーカスコイル７の外方に配置された一方の永久磁石９との間で磁気回路が構成されている。これと同様に、フォーカスコイル７と他方のヨーク１０と他方の永久磁石９との間でも、磁気回路が構成されている。
本体部２０の一方の側面２２ａに取付けられた二つのトラッキングコイル８は、一方の永久磁石９と一方のヨーク１０とが形成する磁界中に配置されて磁気回路を構成している。一方の永久磁石９と一方のヨーク１０との間に、二つのトラッキングコイル８が、一方の永久磁石９の磁束が鎖交するように配置されている。
また、本体部２０の他方の側面２２ｂに取付けられた二つのトラッキングコイル８は、他方の永久磁石９と他方のヨーク１０とが形成する磁界中に配置されて磁気回路を構成している。他方の永久磁石９と他方のヨーク１０との間に、二つのトラッキングコイル８が、他方の永久磁石９の磁束が鎖交するように配置されている。
【００１７】
支持ワイヤ４は、可動部３の両側にＹ方向とほぼ平行にそれぞれ二本ずつ合計四本設けられている。支持ワイヤ４は、その一端部が可動部３側に固定され、他端部が支持台５側に固定されている。
可動部３は、四本の支持ワイヤ４を介して支持台５とヨーク部６との間の空間に浮いている格好で取付けられるので、移動や揺動などの動作を行なって、可動部３の状態（可動部３の位置，姿勢など）を自在に変化させることができる。
可動部３は、たとえば、フォーカスコイル７とトラッキングコイル８に電流が供給されていないときの基本位置から、フォーカスコイル７とトラッキングコイル８の一方または両方に電流を供給することにより、上下方向（Ｘ方向）や左右方向（Ｚ方向）にシフト（移動）することができる。
ここで、「可動部３の基本位置」とは、たとえば、可動部３が静止している状態で、トラッキングコイル８がヨーク１０や永久磁石９などに対して右側および左側において等距離に位置し、可動部３がヨーク基台２５と平行に位置し、可動部３の上下，左右の中心線がともに基準線（図示せず）と一致しているときの、可動部３の位置をいう。
【００１８】
支持台５には、支持ワイヤ４が接続されるプリント配線板３０が、接着剤などで固着されている。プリント配線板３０には、支持ワイヤ４を係合させるための複数（ここでは、四つ）の孔が、所定位置に穿設されている。
支持台５には、複数（ここでは、四つ）の貫通孔が所定位置に穿設されている。支持ワイヤ４は支持台５の貫通孔を貫通している。支持ワイヤ４の他端部は、プリント配線板３０の孔に係合し、プリント配線板３０と電気的に接続されて支持台５に固定されている。
可動部３の本体部２０には、複数（ここでは、四個）の突起部３３が突出形成され、支持ワイヤ４の一端部は、半田で突起部３３に接続固定されている。突起部３３には、フォーカスコイル７またはトラッキングコイル８の巻線の端部が巻き付けられている。
支持ワイヤ４の先端が、突起部３３に半田付けされることにより、支持ワイヤ４と、フォーカスコイル７またはトラッキングコイル８とが、電気的に接続されている。
本体部２０には、支持ワイヤ４と係合する複数（ここでは、四つ）の支持部３４が突出形成され、支持部３４には貫通孔３５が穿設されている。貫通孔３５に支持ワイヤ４が挿通されることにより、可動部３が、支持部３４を介して支持ワイヤ４に支持されている。
フォーカスコイル７の巻線および四つのトラッキングコイル８の各巻線は、支持ワイヤ４と、支持ワイヤ４が電気的に接続されたプリント配線板３０とによって、制御回路（図示せず）に電気的に接続されている。
【００１９】
光ピックアップ１は、図示しない光学系を有している。この光学系は、レーザー光を発生する半導体レーザーなどの光源，光検出器，反射ミラー，レンズおよび回折格子などを有している。対物レンズ２も、この光学系に含まれる。
光検出器は、光ディスクの記録面で反射したレーザー光を受光し、再生信号を検出するとともに、光ディスクの記録面の傾きを検出し、フォーカスエラー信号，トラッキングエラー信号なども検出する。
【００２０】
次に、光ピックアップ１の動作について説明する。
まず、光ディスク装置において、光ディスクが駆動モータにより回転駆動されている状態で、移動機構により光ピックアップ１を所望の位置に移動させる。そして、光学系で発生したレーザー光を対物レンズ２で記録面上に集光させて、光ディスクに対して情報の記録，再生などを行う。
光ピックアップ１の状態（可動部３の位置，姿勢など）を制御する場合には、光検出器で検出された光ディスクの記録面の傾きに関する検出結果を、変換部で電気信号に変換し、制御部に電気信号として出力する。制御部では、変換部から出力された電気信号に基づいて、フォーカスコイル７とトラッキングコイル８に流す電流を制御する。
【００２１】
対物レンズ２を、フォーカス方向（Ｘ方向）に移動させる場合には、制御部は、移動すべき方向および移動量に応じた制御電流を、支持ワイヤ４を介してフォーカスコイル７に供給する。
すると、フォーカスコイル７により生じる電磁力により、可動部３が光ディスクに対してフォーカス方向（Ｘ方向）に移動（シフト）して、対物レンズ２の位置を微調整する。
同様に、支持ワイヤ４を介して四つのトラッキングコイル８に供給する電流を制御すれば、トラッキングコイル８により生じる電磁力により、可動部３が光ディスクのトラッキング方向（Ｚ方向）に移動（シフト）して、対物レンズ２の位置を微調整する。
この場合、永久磁石９とヨーク１０との間に生じる磁力は、トラッキングコイル８の一方の縦巻線部８ａ１に主として作用して駆動力が発生する。なお、他方の縦巻線部８ａ２は、永久磁石９とヨークに対向していないので、前記磁力は、他方の縦巻線部８ａ２にはほとんど作用しない（図３参照）。
このようにして、可動部３は、その位置が制御されてフォーカス方向，トラッキング方向にそれぞれ移動する。
【００２２】
光ピックアップ１の可動部３には、トラッキングコイル８の巻線を巻回するための巻線スペースＳが形成されている。巻線スペースＳは、可動部３の平面視両側外方側（矢印Ｈ２側）が次第に広くなるように形成されている。
これにより、トラッキングコイル８の巻線を、可動部３の平面視両側外方側（矢印Ｈ２側）に出っ張らないかまたは出っ張る寸法が小さくなるように、巻線スペースＳで効率よく巻回している。
【００２３】
可動部３を構成する本体部２０の平面視で四つの角部は、巻線スペースＳを形成するために、斜めのほぼ平面状（または、後述するようなほぼ曲面状もしくはほぼ階段状）に形成されている。
すなわち、本体部２０の側面２２ａ，２２ｂの左右対称位置の角部に、平面状の傾斜面１３をそれぞれ形成している。これにより、可動部３の平面視両側外方側が次第に広くなるような巻線スペースＳが、前記角部に形成されている。
傾斜面１３は、巻線スペースＳを形成するためにボビン２３の位置に配置されている。傾斜面１３の傾斜角θとしては、本体部２０の形状により適宜定めればよい。
ボビン２３に傾斜面１３が形成されているので、巻線スペースＳにおける可動部３の平面視両側外方側（矢印Ｈ２側）　の巻幅ｄ２の方が、平面視両側内方側（矢印Ｈ１側）　の巻幅ｄ１より広くなっている。
【００２４】
トラッキングコイル８の二つの縦巻線部８ａ１，８ａ２と、上下の横巻線部８ｂは、ボビン２３にそれぞれ案内保持された状態で巻回されている。これにより、ボビン２３の巻線スペースＳを有効に使って、トラッキングコイル８の巻線を、最大の巻数（ターン数）で規則正しく且つ効率よく整列巻きすることができる。トラッキングコイル８は、ボビン２３に案内支持されて整列巻きされるので、従来のような巻乱れを防止して巻線作業を良好に行うことができる。
【００２５】
トラッキングコイル８において、平面視両側内方側（矢印Ｈ１側）　に位置する一方の縦巻線部８ａ１は巻幅ｄ１，　厚みｔ１とし、平面視両側外方側（矢印Ｈ２側）　に位置する他方の縦巻線部８ａ２は巻幅ｄ２，　厚みｔ２とする。両方の縦巻線部８ａ１，　８ａ２の断面積はほぼ同じなので、次式が成立する。
ｄ１　×ｔ１　＝ｄ２　×ｔ２
上述のように、一方の縦巻線部８ａ１の巻幅ｄ１より他方の縦巻線部８ａ２の巻幅ｄ２の方が広いので、前記式から、一方の縦巻線部８ａ１の厚みｔ１より他方の縦巻線部８ａ２の厚みｔ２の方が小さくなる。すなわち、巻幅ｄ１，ｄ２は、ｄ１＜ｄ２なので、厚みｔ１，　ｔ２は、ｔ１　＞ｔ２　となる。
その結果、巻線スペースＳで巻回されたトラッキングコイル８の巻線は、可動部３の平面視両側外方側（矢印Ｈ２側）　に出っ張らないかまたは出っ張る寸法が小さくなって、巻線を巻線スペースＳで効率よく巻回することができる。また、トラッキングコイル８の外形が小型化し、トラッキングコイル８が支持ワイヤ４に接触する恐れがなくなる。
【００２６】
本発明の光ピックアップ１と、関連技術にかかる光ピックアップ１０１（図７ないし図９）とを比較すると、永久磁石９（または、図７の永久磁石１１０）とヨーク１０（または、図７のヨーク１１２）との間の距離（ギャップＧ）が同じ場合、本発明の光ピックアップ１では、トラッキングコイル８の巻数を増やして、その駆動力を向上させることができる。
一方、本発明の光ピックアップ１におけるトラッキングコイル８の巻数と、前記関連技術にかかる光ピックアップ１０１におけるトラッキングコイル１０８の巻数とが同じ場合、本発明の光ピックアップ１では、トラッキングコイル８の巻幅ｄ１を小さくすることができる。その結果、ギャップＧを小さくして、光ピックアップ１全体を小型化することができる。
光ピックアップ１では、本体部２０は、平面視で四つの角部のみがそれぞれ斜めに形成されており、本体部２０の全体の肉厚は薄くなっていないので、本体部２０の機械的強度はそれほど低下しない。
【００２７】
図５は、可動部３に設けられたトラッキングコイル８の各種変形例を示す部分平面図、図６は、他の変形例を示す図で、トラッキングコイル８が空心コイルの場合の光ピックアップ１ａの平面図である。
なお、図５，図６に示す各種変形例において、前記実施形態と同一または相当部分には同一符号を付してその説明を省略し、異なる部分のみ説明する。
図５，図６に示す光ピックアップでは、可動部３には、トラッキングコイル８の巻線を巻回するための巻線スペースＳを、可動部３の平面視両側外方側（矢印Ｈ２側）　が次第に広くなるように形成している。
【００２８】
本体部２０の平面視で四つの角部は、巻線スペースＳを形成するために、斜めのほぼ曲面状またはほぼ階段状に形成されている。すなわち、図５（Ａ）に示す傾斜面１３は曲面状をなしており、図５（Ｂ）に示す傾斜面１３は階段状をなしている。
図５（Ｃ）では、巻線スペースＳを形成するために、本体部２０の平面視で四つの角部は、斜めのほぼ平面状（または、ほぼ曲面状もしくはほぼ階段状）に形成され、且つ、トラッキングコイル用鍔２１の一方側（矢印Ｈ２側）　の角部も斜めに形成されている。
これにより、巻線スペースＳは、可動部３の平面視両側外方側（矢印Ｈ２側）　が次第に広くなるように形成される。このようにすれば、平面視両側外方側の巻幅ｄ２がさらに大きくなるので、トラッキングコイル８の巻数をさらに増やしたり、ギャップＧをさらに小さくすることができる。
図５（Ａ）〜（Ｃ）に示す各種変形例においても、前記実施形態と同じ作用効果を奏する。
【００２９】
図６に示す光ピックアップ１ａでは、トラッキングコイル８が空心コイルなのでボビンが設けられていない。この光ピックアップ１ａでは、本体部２０の平面視で四つの角部は、巻線スペースＳを形成するために、斜めのほぼ平面状（または、ほぼ曲面状もしくはほぼ階段状）に形成されている。
図示する光ピックアップ１ａでは、前記実施形態と同じ平面状の傾斜面１３が本体部２０の側面２２ａ，２２ｂに形成されている。トラッキングコイル８は、傾斜面１３を有する側面２２ａ，２２ｂに密着するように所定形状に空心巻きされている。こうして、トラッキングコイル８を構成する四つの空心コイルが、接着剤などで側面２２ａ，２２ｂに貼り付けられている。
光ピックアップ１ａにはトラッキングコイル用鍔がないので、トラッキングコイル８の巻数が前記光ピックアップ１のトラッキングコイル８の巻数と同じ場合には、ギャップＧを小さくすることができる。一方、光ピックアップ１ａは、そのギャップＧを光ピックアップ１のギャップＧと同じにした場合には、トラッキングコイル８の巻数を増やすことができる。また、光ピックアップ１ａは、上述の実施形態や各種変形例と同じ作用効果を奏する。
【００３０】
前記実施形態および各種変形例で説明したように、本発明の光ピックアップ１，１ａでは、巻線スペースＳを、可動部３の平面視両側外方側（矢印Ｈ２側）　が次第に広くなるように形成している。これにより、トラッキングコイル８の巻線を、可動部３の平面視両側外方に出っ張らないかまたは出っ張る寸法が小さくなるようにして、巻線スペースＳで効率よく巻回している。
したがって、トラッキングコイル８は支持ワイヤ４などに接触しない。また、トラッキングコイル８の巻線の巻数を増やして、可動部３の効率や感度（応答速度）を向上させることができ、さらに、光ピックアップ１，１ａを小型化することも可能である。
【００３１】
以上、本発明の実施形態（各種変形例を含む）を説明したが、本発明は、上述の実施形態に限定されるものではなく、本発明の要旨の範囲で種々の変形，付加などが可能である。
なお、各図中同一符号は同一または相当部分を示す。
【００３２】
【発明の効果】
本発明は上述のように構成したので、トラッキングコイルの巻線を、可動部の平面視両側外方に出っ張らないかまたは出っ張る寸法が小さくなるように、巻線スペースで効率よく巻回することができる。
【図面の簡単な説明】
【図１】図１ないし図６は本発明の実施形態の一例を示す図で、図１は光ピックアップの平面図である。
【図２】前記光ピックアップの可動部の斜視図である。
【図３】前記光ピックアップの動作を示す図で、図１のＩＩＩ−ＩＩＩ線概略矢視図である。
【図４】図４（Ａ），（Ｂ）は、それぞれ、前記可動部に設けられたトラッキングコイルを示す部分平面図，その平面断面図である。
【図５】可動部に設けられたトラッキングコイルの各種変形例を示す部分平面図である。
【図６】他の変形例を示す図で、トラッキングコイルが空心コイルの場合の光ピックアップの平面図である。
【図７】図７ないし図９は本発明の関連技術を示す図で、図７は光ピックアップの平面図である。
【図８】前記光ピックアップの可動部の斜視図である。
【図９】前記光ピックアップにおいてトラッキングコイルの巻数を増やした場合を示す図で、図９（Ａ），（Ｂ）は、それぞれ部分平面図，その平面断面図である。
【符号の説明】
１，１ａ　　　光ピックアップ
２　　　対物レンズ
３　　　可動部
４　　　支持ワイヤ
５　　　支持台
６　　　ヨーク部
７　　　フォーカスコイル
８　　　トラッキングコイル
８ａ１，８ａ２　　縦巻線部
８ｂ　　　　　横巻線部
９　　　永久磁石
１０　　ヨーク
２０　　本体部
２１　　トラッキングコイル用鍔
２２ａ，２２ｂ　　側面
２３　　ボビン
Ｈ２側　　平面視両側外方側
Ｓ　　　巻線スペース
【図１】
2004118969.tif 000003
【図２】
2004118969.tif 000004
【図３】
2004118969.tif 000005
【図４】
2004118969.tif 000006
【図５】
2004118969.tif 000007
【図６】
2004118969.tif 000008
【図７】
2004118969.tif 000009
【図８】
2004118969.tif 000010
【図９】
2004118969.tif 000011